(57)【特許請求の範囲】
【請求項１】
給水管が下端部に接続されていると共に貯湯している高温水を流出させる出湯管が上端部に接続されている貯湯タンクと、この貯湯タンク内の湯水を高温に加熱する加熱手段と、前記出湯管からの高温水と前記給水管から分岐された第１バイパス管からの低温水とを任意の給湯設定温度に混合して給湯栓から給湯させる給湯混合弁と、前記出湯管からの高温水と前記給水管から分岐された第２バイパス管からの低温水とを任意の風呂設定温度に混合して湯張り管から風呂に湯張りさせる風呂混合弁とを備えたものに於いて、前記給湯混合弁が高温側でロックした場合、これを検知して給湯制御部を介して風呂混合弁を出湯管と第２バイパス管とが連通状態となるように駆動させる事を特徴とする貯湯式給湯装置。
【請求項２】
前記風呂混合弁は、出湯管側５０％、第２バイパス管側５０％の開度とした事を特徴とする請求項１記載の貯湯式給湯装置。
【発明の詳細な説明】
【技術分野】
【０００１】
この発明は給湯混合弁が故障した場合でも、安全性を確保することが出来る貯湯式給湯装置に関するものである。
【背景技術】
【０００２】
従来よりこの種のものでは、貯湯タンク内上部に貯湯した高温水と低温の給水とを給湯混合弁で、リモコンによる設定温度の湯温になるようにミキシングして適宜給湯するものであった。（例えば、特許文献１参照。）
【特許文献１】特開２００５−３０６６１号公報
【発明の開示】
【発明が解決しようとする課題】
【０００３】
しかし、この従来のものでは、給湯混合弁が高温の出湯状態でロックした故障の場合には、給湯栓が閉められるまで高温水が出湯されつずけられることとなり、又一旦給湯栓を閉めた後、設定温度を低くして出湯した場合には、思いもよらない高温水が出湯されて火傷する危険もあり安全性に問題があった。
【課題を解決するための手段】
【０００４】
この発明はこの点に着目し上記課題を解決するために、特にその構成を、請求項１では、給水管が下端部に接続されていると共に貯湯している高温水を流出させる出湯管が上端部に接続されている貯湯タンクと、この貯湯タンク内の湯水を高温に加熱する加熱手段と、前記出湯管からの高温水と前記給水管から分岐された第１バイパス管からの低温水とを任意の給湯設定温度に混合して給湯栓から給湯させる給湯混合弁と、前記出湯管からの高温水と前記給水管から分岐された第２バイパス管からの低温水とを任意の風呂設定温度に混合して湯張り管から風呂に湯張りさせる風呂混合弁とを備えたものに於いて、前記給湯混合弁が高温側でロックした場合、これを検知して給湯制御部を介して風呂混合弁を出湯管と第２バイパス管とが連通状態となるように駆動させるものである。
【０００５】
又請求項２では、前記風呂混合弁は、出湯管側５０％、第２バイパス管側５０％の開度としたものである。
【発明の効果】
【０００６】
以上のようにこの発明によれば、給湯混合弁が高温側でロックする故障が発生した場合には、風呂混合弁が出湯管側と第２バイパス管側を連通させるように駆動するので、ロック状態の給湯混合弁から給湯されることにより、連通状態の第２バイパス管から低温の給水が出湯管内の高温水に混入し、ある程度高温水温度が低下されて、火傷の危険がなくなり、修理業者が来るまで安全に使用出来るものである。
【０００７】
又請求項２によれば、風呂混合弁の最大開度での連通となり、大量の給水の混入により確実に高温水の温度を下げることが出来、安全性の向上を図ることが出来るものである。
【発明を実施するための最良の形態】
【０００８】
次に、本発明の一実施形態の貯湯式給湯装置を図１〜図１０に基づき説明する。なお、図２〜図１０中の貯湯タンク内にハッチングした斜線は低温水、二重斜線は中温水、三重斜線は高温水を示し、矢印は湯水の流れ方向を示すものである。
【０００９】
この貯湯式給湯装置は、時間帯別契約電力の電力単価が安価な深夜時間帯に湯水を沸き上げて貯湯し、この貯湯した湯水を給湯に用いるもので、１は湯水を貯湯する貯湯タンク２を備えた貯湯タンクユニット、３は貯湯タンク内の湯水を加熱するヒートポンプユニット、４は台所や洗面所等に設けられた給湯栓たる給湯栓、５はこの給湯栓４の近傍に設けられた給湯リモコン、６は浴槽、７は浴室に設けられた風呂リモコンである。
【００１０】
前記貯湯タンクユニット１の貯湯タンク２は、上端に出湯管８と、下端に給水管９とが接続され、さらに、下部にヒーポン往き管１０と、上部にヒーポン戻り管１１とか接続され、前記ヒートポンプユニット３によってヒーポン往き管１０から取り出した貯湯タンク２内の湯水を沸き上げてヒーポン戻り管１１から貯湯タンク２内に戻して貯湯され、給水管９からの給水により貯湯タンク２内の湯水が押し上げられて貯湯タンク２内上部の高温水が出湯管８から押し出されて給湯されるものである。
【００１１】
前記ヒートポンプユニット３は、圧縮機１２と凝縮器としての冷媒−水熱交換器１３と電子膨張弁１４と強制空冷式の蒸発器１５で構成された加熱手段としてのヒートポンプ回路１６と、貯湯タンク２内の湯水を前記ヒーポン往き管１０およびヒーポン戻り管１１を介して冷媒−水熱交換器１３に循環させるヒーポン循環ポンプ１７と、それらの駆動を制御するヒーポン制御部１８とを備えており、ヒートポンプ回路１６内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１２】
ここで、前記冷媒−水熱交換器１３は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１３入口温度と冷媒の出口温度との温度差が一定になるように前記減圧器１４または圧縮機１２を制御することで、被加熱水の冷媒−水熱交換器１３の入口温度が５〜２０℃程度の低い温度であるとＣＯＰ（エネルギー消費効率）が３．０以上のとても良い状態で被加熱水を加熱することが可能なものである。
【００１３】
１９は前記浴槽６の湯水を加熱するための熱交換器で、その一次側には貯湯タンク２上部に接続された高温水往き管２０と貯湯タンク２下部に接続された中温水戻り管２１とが接続されて熱交循環回路２２を構成し、中温水戻り管２１途中に設けられた熱交循環ポンプ２３の作動により貯湯タンク２から取り出した高温水を熱交換器１９に循環させ、熱交換により温度低下した中温水を再び貯湯タンク２内に戻すものである。
【００１４】
前記熱交換器１９の二次側には、浴槽６の湯水を循環可能に風呂往き管２４と風呂戻り管２５より構成される風呂循環回路２６が接続され、風呂戻り管２５途中に設けられた風呂循環ポンプ２７の作動により浴槽６の湯水が熱交換器１９に循環されて、一次側の高温水により加熱されて浴槽６内の湯水の保温あるいは追焚きが行われるものである。なお、２８は風呂戻り管２５を循環する浴槽６の湯水の温度を検出する風呂温度センサである。
【００１５】
次に、２９は前記中温水戻り管２１より高く前記出湯管８より低い貯湯タンク２の中間位置に接続された中温水出湯管で、前記熱交換器１９で二次側と熱交換して温度低下した中温水を貯湯タンク２から出湯するものである。
【００１６】
３０は、前記中温水出湯管２９の下流に設けられた中温水混合弁で、貯湯タンク２中間位置付近の中温水と貯湯タンク２上端に接続された出湯管８からの高温水とを、その下流の第１出湯管３１に設けた出湯温度センサ３２で検出する湯温が、給湯リモコン５または風呂リモコン７でユーザーが設定した給湯設定温度または風呂設定温度より一定温度（例えば５℃）高い温度である任意の所定温度になるように混合比率を制御するものである。
【００１７】
ここで、前記中温水出湯管２９は出湯口切換弁３３を介して貯湯タンク２の中間位置の上下に設けられた第１中温水出湯口３４と第２中温水出湯口３５に接続され、何れか一方の出湯口から貯湯タンク２の中間位置付近に貯められている中温水を中温水混合弁３０に向けて出湯するものであり、下方の第１中温水出湯口３４より少し下方の貯湯タンク２側面に設けられた中温水温度センサ３６の検出する温度に応じて出湯口切換弁３３を切換えるようにしている。
【００１８】
次に、３７は第１出湯管３１からの湯水と給水管９から分岐された第１バイパス管３８からの低温水を混合する電動ミキシング弁より構成された給湯混合弁であり、その下流の給湯管３９に設けた給湯温度センサ４０で検出した湯温が給湯リモコン５または風呂リモコン７でユーザーが設定した給湯設定温度になるように混合比率を制御するものである。
【００１９】
また、４１は前記第１出湯管３１から分岐された第２出湯管４２からの湯水と、給水管９から分岐された第２バイパス管４３からの低温水とを混合する電動ミキシング弁より構成された風呂混合弁であり、その下流側の前記風呂循環回路２６に連通された第２給湯端たる湯張り管４４に設けた湯張り温度センサ４５で検出した湯温が風呂リモコン７でユーザーが設定した風呂設定温度になるように混合比率を制御するものであり、通常停止時には自然対流防止の為、第２出湯管４２側を閉塞し第２バイパス管４３側１００％開口状態としている。
【００２０】
そして、前記湯張り管４４には、風呂循環回路２６を介した浴槽６への湯張りの開始／停止を行う湯張り弁４６と、浴槽６への湯張り量をカウントする風呂流量カウンタ４７が設けられているものである。
【００２１】
次に、４８は貯湯タンク２の上下方向に複数個配置された貯湯温度センサで、この貯湯温度センサ４８が検出する温度情報によって、貯湯タンク２内にどれだけの熱量が残っているかを検知し、そして貯湯タンク２内の上下方向の温度分布を検知するものである。
【００２２】
前記給湯リモコン５および風呂リモコン７には、給湯設定温度を設定する給湯温度設定スイッチ４９、５０、および風呂設定温度を設定する風呂温度設定スイッチ５１、５２がそれぞれ設けられていると共に、浴槽６へ風呂設定温度の湯を風呂リモコン７の湯張り量設定スイッチ（図示せず）で設定された湯張り量だけ湯張りし所定時間保温させる風呂自動スイッチ５３、５４がそれぞれ設けられているものである。
【００２３】
５５は貯湯タンクユニット１内の各センサの入力を受け各アクチュエータの駆動を制御するマイコンを有した給湯制御部である。この給湯制御部５５に前記給湯リモコン５および風呂リモコン７が無線または有線により接続されユーザーが任意の給湯設定温度および風呂設定温度を設定できるようにしているものである。
【００２４】
又前記給湯制御部５５は、給湯温度センサ４０が給湯設定温度より数度高い温度ここでは３℃以上を所定時間以上ここでは５秒以上検出することで、給湯混合弁３７が高温側でロック故障したと判断して、給湯混合弁３７の高温側故障エラーを出力し、各リモコン５、７に給湯混合弁３７の高温側故障のエラー表示させると共に、通常停止状態の風呂混合弁４１を第２出湯管４２側５０％で第２バイパス管４３側５０％の最大開口率で開口し、第２出湯管４２と第２バイパス管４３とが連通状態となるように駆動制御するものである。
【００２５】
一方給湯制御部５５は、給湯温度センサ４０が給湯設定温度より数度低い温度ここでは−３℃以上を所定時間以上ここでは５秒以上検出することで、給湯混合弁３７が低温側でロック故障したと判断して、給湯混合弁３７の低温側故障エラーを出力し、各リモコン５、７に給湯混合弁３７の低温側故障のエラー表示させると共に、通常の制御でも火傷の心配がないので風呂混合弁４１は駆動せず停止状態のままとする。
【００２６】
なお、５６は貯湯タンク２の過圧を逃す過圧逃し弁、５７は給水の温度を検出する給水温度センサ、５８は給水の圧力を減圧する減圧弁、５９は給湯する湯水の量をカウントする給湯流量カウンタである。
【００２７】
次に、この一実施形態の作動を説明する。
まず、図２に示す沸き上げ運転について説明すると、深夜電力時間帯になって貯湯温度センサ４８が貯湯タンク２内に翌日に必要な熱量が残っていないことを検出すると、給湯制御部５５はヒーポン制御部１８に対して沸き上げ開始指令を発する。指令を受けたヒーポン制御部１８は圧縮機１２を起動した後にヒーポン循環ポンプ１７を駆動開始し、貯湯タンク２下部に接続されたヒーポン往き管１０から取り出した５〜２０℃程度の低温水を冷媒−水熱交換器１３で７０〜９０℃程度の高温に加熱し、貯湯タンク２上部に接続されたヒーポン戻り管１１から貯湯タンク２内に戻し、貯湯タンク２の上部から順次積層して高温水を貯湯していく。貯湯温度センサ４８が必要な熱量が貯湯されたことを検出すると、給湯制御部５５はヒーポン制御部１８に対して沸き上げ停止指令を発し、ヒーポン制御部１８は圧縮機１２を停止すると共にヒーポン循環ポンプ１７も停止して沸き上げ動作を終了するものである。
【００２８】
次に、図３に示す給湯運転について説明すると、給湯栓４を開くと、給水管９からの給水が貯湯タンク２内に流れ込む。そしてこのとき、貯湯タンク２内の中温水温度センサ３６の位置には沸き上げられた高温水が貯められているので、中温水温度センサ３６は所定値以上の温度を検出し、給湯制御部５５によって中温水切換弁３３が下側の第１中温水出湯口３４側に切換えられて、第１中温水出湯口３４から中温水出湯管２９を介して中温水混合弁３０へ高温水が押し出される。なお、貯湯タンク２内には上部に高温水、下部に低温水が貯められているが、その温度差により比重差が発生し、温度境界層を形成して比重の軽い高温水が上部に、比重の重い低温水が下部に位置するので、互いに混じり合うことはないものである。
【００２９】
ここで、給湯制御部５５は中温水出湯管２９からの湯水と出湯管８からの湯水を混合して中温水混合弁３０にて給湯リモコン５または風呂リモコン７で設定された給湯設定温度より一定温度以上高い温度となるように中温水混合弁３０を適当な比率に調整する。なお、ここでは、中温水出湯管２９から流入する湯が高温で給湯設定温度より高いため、中温水混合弁３０の出湯管８側を閉じることとなる。
【００３０】
そして、中温水混合弁３０から流出した湯は第１出湯管３１を介して給湯混合弁３６へ流入し、第１バイパス管３８からの低温水と混合され、給湯制御部５５が給湯混合弁３６の混合比率を調整し給湯設定温度の湯が給湯栓４から給湯される。そして、給湯栓４の閉止によって給湯が終了するものである。
【００３１】
ここで、中温水温度センサ３６が所定値以下の温度を検出すると、図４に示すように給湯制御部５５が出湯口切換弁３３を上側の第２中温水出湯口３５側に切換え、第２中温水出湯口３５から高温水を出湯するようにしている。よって、下側の第１中温水出湯口３４付近に高温水あるいは中温水が貯められている場合には第１中温水出湯口３４から出湯し、第１中温水出湯口３４付近に給水管９からの低温水が貯められている場合は第２中温水出湯口３５から出湯されることとなり、貯湯タンク２内の中温水を余すことなく給湯に用いることが可能となるものである。
【００３２】
また、前記中温水混合弁３０は給湯設定温度よりも一定温度以上高い温度の湯を第１出湯管３１に供給するようにしているので、第１中温水出湯口３４および第２中温水出湯口３５から出湯する湯水の温度が給湯設定温度よりも低い場合は、図５に示すように給湯制御部５５により中温水混合弁３０の混合比率が調整されて出湯管８からの高温水を用いて給湯設定温度よりも一定温度高い温度の湯を第１出湯管３１に供給するようにし、貯湯タンク２の中間位置からの出湯を優先し、貯湯タンク２の上部に貯められている高温水の使用を最小限に留め、熱源となる高温水をより多く確保することが可能となる。
【００３３】
次に、図６に示す浴槽６への湯張り運転について説明すると、給湯リモコン５または風呂リモコン７の風呂自動スイッチ５３、５４の何れかが操作されると、給湯制御部５５が湯張り弁４６を開弁する。そして、給水管９からの給水が貯湯タンク２内に流れ込む。そしてこのとき、貯湯タンク２内の中温水温度センサ３６の位置には沸き上げられた高温水が貯められているので、中温水温度センサ３６は所定値以上の温度を検出し、給湯制御部５５によって中温水切換弁３３が下側の第１中温水出湯口３４側に切換えられて、第１中温水出湯口３４から中温水出湯管２９を介して中温水混合弁３０へ高温水が押し出される。
【００３４】
ここで、給湯制御部５５は風呂自動スイッチ５３、５４の入力を受けると、中温水出湯管２９からの湯水と出湯管８からの湯水を混合して中温水混合弁３０にて給湯リモコン５または風呂リモコン７で設定された風呂設定温度より一定温度以上高い温度となるように中温水混合弁３０を適当な比率に調整するようにしている。なお、ここでは、中温水出湯管２９から流入する湯が高温で風呂設定温度より高い温度であるため、中温水混合弁３０の出湯管８側を閉じることとなる。
【００３５】
そして、中温水混合弁３０から流出した湯は第１出湯管３１を介して第２出湯管４２へ出湯される。そして第２出湯管４２からの高温水は風呂混合弁４１へ流入し、第２バイパス管４３からの低温水と混合され、給湯制御部５５が風呂混合弁４１の混合比率を調整し、風呂設定温度の湯が湯張り管４４から風呂循環回路２６を介して浴槽６へ湯張りされる。ここで、中温水温度センサ３６が所定値以下の温度を検出すると、図４で説明した給湯動作の場合と同じく給湯制御部５５が出湯口切換弁３３を上方の第２中温水出湯口３４側に切換え、第２中温水出湯口３４から高温水を出湯するようにしている。
【００３６】
そして、湯張り管４４途中に設けられた風呂流量カウンタ４７が所定の湯張り量をカウントすると給湯制御部５５が湯張り弁４６を閉弁して湯張り運転を終了し、中温水混合弁３０での任意の混合温度を給湯設定温度よりも一定温度高い温度となるようにするものである。
【００３７】
次に、図７に示す風呂の保温運転あるいは追焚き運転について説明すると、前記の浴槽６への湯張り運転に引き続き、給湯制御部５５は一定時間毎に風呂循環ポンプ２７を駆動し、浴槽６内の湯温を風呂温度センサ２８により検出する。そして風呂温度センサ２８の検出する温度が風呂設定温度より所定値以上低下していると、給湯制御部５５は熱交循環ポンプ２３および風呂循環ポンプ２６を駆動開始し、高温水往き管２０から取り出した高温水を熱交換器１９に流入させ、二次側の浴槽水と熱交換させ風呂の保温運転あるいは追焚き運転を行う。そして、熱交換により温度低下した中温水が中温水戻り管２１を介して貯湯タンク２下部に戻り、高温水と入れ替わる形で高温水と中温水の境界面を押し上げるようにして中温水が貯湯されるものである。なお、貯湯タンク２内には上部に高温水、中間部に中温水、下部に低温水が貯められているが、その温度差が２０℃程度あれば比重差が発生し、温度境界層を形成して比重の軽い高温水が上部に、中間の中間水が中間部に、比重の重い低温水が下部に位置するので、互いに混じり合うことはないものである。
【００３８】
そして、二次側では、熱交換器１９にて加熱された浴槽水が浴槽６へ戻って浴槽６内を昇温し、風呂温度センサ２８で検出する温度が風呂設定温度に達すると、給湯制御部５５は熱交循環ポンプ２３および風呂循環ポンプ２６を駆動停止して保温運転あるいは追焚き運転を停止する。
【００３９】
次に、貯湯タンク２内に中温水が貯められた後の給湯運転について説明する。図８に示すように、第１中温水出湯口３４付近に中温水が貯められて中温水温度センサ３６が中温水を検出している場合は、出湯口切換弁３３は第１中温水出湯口３４側に切換えられ、給湯混合水栓３の開栓により、給水管９からの給水が貯湯タンク２内に流れ込むと同時に、第１中温水出湯口３４から中温水が押し出されて中温水出湯管２９を介して中温水混合弁３０へ流入する。
【００４０】
ここで、第１中温水出湯口３４から押し出される湯水の温度が給湯設定温度よりも低い場合は、中温水混合弁３０の混合比率が調整されて貯湯タンク２上端部の出湯管８からの高温水と混合されて給湯設定温度より一定温度高い温度の湯を供給するようにしている。
【００４１】
そして、中温水混合弁３０から流出した湯は第１出湯管３１を介して給湯混合弁３６へ流入し、第１バイパス管３８からの低温水と混合され、給湯制御部５５が給湯混合弁３６の混合比率を調整し給湯設定温度の湯が給湯栓４から給湯される。そして、給湯栓４の閉止によって給湯が終了するものである。
【００４２】
ここで、中温水温度センサ３６が所定値以下の温度を検出すると、図９に示すように、給湯制御部５５が出湯口切換弁３３を上側の第２中温水出湯口３５側に切換え、第２中温水出湯口３５から高温水を出湯するようにしている。よって、下側の第１中温水出湯口３４付近に高温水あるいは中温水が貯められている場合には第１中温水出湯口３４から出湯し、第１中温水出湯口３４付近に給水管９からの低温水が貯められている場合は第２中温水出湯口３５から出湯されることとなり、貯湯タンク２内の中温水を余すことなく給湯に用いることが可能となるものである。
【００４３】
また、前記中温水混合弁３０は給湯設定温度よりも一定温度以上高い温度の湯を第１出湯管３１に供給するようにしているので、第１中温水出湯口３４および第２中温水出湯口３５から出湯する湯水の温度が給湯設定温度よりも低い場合は、給湯制御部５５により中温水混合弁３０の混合比率が調整されて出湯管８からの高温水を用いて給湯設定温度よりも一定温度高い温度の湯を第１出湯管３１に供給するようにし、貯湯タンク２の中間位置からの出湯を優先し、貯湯タンク２の上部に貯められている高温水の使用を最小限に留め、熱源となる高温水をより多く確保することが可能となる。
【００４４】
次に、図１０に示す給湯動作中に湯張り運転が開始されるかまたは湯張り運転中に給湯動作が開始される同時給湯時は、給湯制御部５５が給湯設定温度と風呂設定温度を比較し、高い方の温度よりも一定温度高い温度を中温水混合弁３０での任意の所定温度とするようにしている。
【００４５】
このように、その時々の任意の給湯設定温度に応じて熱源として利用した中温水を可能な限り多く使って給湯を行うことができ、給湯が行われていない側の給湯設定温度が高い場合であっても、中温水混合弁で混合される任意の所定温度を、給湯設定温度の実際に給湯されている側の給湯設定温度よりも一定温度高い温度としているので、中温水を可能な限り多く使って給湯を行うことができると共に、複数の給湯端から同時給湯の要求がある時であっても、中温水混合弁３０が高い方の設定温度よりも一定温度高い温度の湯を出湯するので、中温水を有効に使いつつ各々の設定温度の湯を同時に給湯できるもので、熱源となる高温水を無駄に使用することを抑制して熱源としての能力を多く確保できるものである。
【００４６】
なお、前記中温水戻り管２１は貯湯タンク２最下端の給水管９および下部のヒーポン往き管１０よりも高い位置に接続されているため、貯湯タンク２内に熱源として使われた中温水が戻されても、給湯の使用により貯湯タンク２下端から給水管からの低温水が流入することで貯湯タンク２の最下端には低温水が確保されることとなり、次回の沸き上げの際には必ず低温水から沸き上げることができるという効果がある。
【００４７】
また、第１中温水出湯口３４および第２中温水出湯口３５が中温水戻り管２１よりも高い位置に設けられているので、中温水戻り管２１と第１中温水出湯口３４および第２中温水出湯口３５との間にある程度の容量を確保でき、熱交換器１９で温度低下した中温水をその容量分だけ一時的に貯めておくことができることとなり、中温水出湯管２９から出湯させることができない中温水を極力少なくすることができるもので、しかも、第１中温水取出し口３４及び第２中温水取出し口３５を上下に設けているため、下側の第１中温水取出し口３４よりも上に中温水が貯められても、上側の第２中温水取出し口３５で中温水を出湯させることができ、熱源として利用されてできた中温水を貯湯タンク２内に無駄に貯めてしまうことなく給湯に有効に利用することができる。
【００４８】
ここで、もし中温水戻り管２１と第１中温水出湯口３４または第２中温水出湯口３５とが同じ高さにあった場合には、中温水が中温水戻り管２１より高い位置に貯められてしまう場合があり、これを中温水戻り管２１と同じ高さにある第１中温水出湯口３４または第２中温水出湯口３５から取り出すことができないため、中温水が発生すると全く同時にこの中温水を給湯に用いる必要があり、さもなければ多量に給湯を行って中温水が貯湯タンク２上端部に接続された出湯管８にまで押し上げられるまで貯湯タンク２内に中温水が貯湯されてしまうこととなる。しかし、この一実施形態では上記のように中温水戻り管２１よりも高い位置に第１中温水出湯口３４または第２中温水出湯口３５が設けられているため、この高さの差分の容量だけ中温水の発生から利用までの容量的あるいは時間的余裕ができ、中温水をある程度の容量分発生させてから時間的間隔をおいて給湯を行っても中温水を給湯に用いることができる効果がある。
【００４９】
このように、給湯の際に熱源として利用された中温水を高温水よりも優先して貯湯タンク２の途中から取り出して給湯するので、高温水を給湯しきるまで中温水を給湯できないと行った不具合がなく、給湯を行う度に貯湯タンク２内の中温水が減って給水管９からの低温水に入れ替わって、深夜の沸き上げ動作を行う時には沸き上げ効率の悪い中温水ではなく、温度の低い低温水をヒートポンプ回路１６で沸き上げることとなり、沸き上げの効率が向上しヒートポンプ式給湯装置としてのＣＯＰ（エネルギー消費効率）が良くなるものである。
【００５０】
次に図３〜図５に示すように給湯中に給湯混合弁３７が高温側でロックし故障した場合では、図１１のフローチャートに示す如く、ステップ６０で給湯温度センサ４０の検出する給湯温度が、給湯設定温度＋３℃以上かを判断し、ＹＥＳではステップ６１に進み誤検知防止の為に、これが５秒以上継続したかを判断して、ＹＥＳで給湯混合弁３７が高温側で故障したとして、給湯制御部５５が給湯混合弁３７の高温側故障エラーを出力することにより、ステップ６２に進んで各リモコン５、７に給湯混合弁３７の高温側故障エラーを表示させ、そしてステップ６３に進んで風呂混合弁４１を第２出湯管４２側５０％で第２バイパス管４３側５０％の最大開口率で開口し、第２出湯管４２と第２バイパス管４３とが連通状態となるように駆動させることで、給湯が行われることによって第２出湯管４２を介して、第２バイパス管４３から給水が第１出湯管３１を流通する高温水に混入されて、高温水温度を低下させて給湯混合弁３７からの給湯温度を下げて、火傷の心配がない安全な給湯とすることが出来、修理業者が来るまでにとりあえず給湯を継続出来て使用勝手を良くしたものである。
【００５１】
更に給湯混合弁３７が高温側でロックし故障した場合では、ステップ６０でＮＯとなり、ステップ６４に進み給湯設定温度−３℃以下かを判断し、ＹＥＳではステップ６５に進み同じく誤検知防止用に、これが５秒以上継続したかを判断して、ＹＥＳで給湯混合弁３７が低温側で故障したとして、給湯制御部５５が給湯混合弁３７の低温側故障エラーを出力することにより、ステップ６６に進んで各リモコン５、７に給湯混合弁３７の低温側故障エラー表示のみ行わせるものであり、低温側では火傷の危険がないのでエラー表示のみで、風呂混合弁４１の駆動制御は行わず通常停止状態である。
【００５２】
なお、この一実施形態では、熱交換器１９と熱交循環ポンプ２３と風呂循環ポンプ２７とを貯湯タンクユニット１内に設けているが、貯湯タンクユニット１とは別体のユニット体に設けるようにしても良く、本発明の要旨を変更しない範囲での実施形態の変更をすることを妨げるものではない。
【００５３】
また、この一実施形態では、熱交換器１９の二次側に風呂循環回路２６を設けているが、床暖房パネルや温水式温風暖房器や温水式パネルコンベクタ、温水式パネルラジエータ等の暖房循環回路を設けても良く、要は貯湯タンク１６内の高温水の熱を熱交換器１９で熱交換して利用する熱機器であれば何でも良いものである。
【００５４】
さらに、貯湯タンク２内の湯水を加熱する手段としてヒートポンプ回路１６を例示しているが、これに限られず、貯湯タンク２内に直接配置した電熱ヒータや、貯湯タンク２内の湯水を循環させて電熱ヒータで加熱するようにしても良いものである。
【図面の簡単な説明】
【００５５】
【図１】この発明の一実施形態の概略構成図。
【図２】同一実施形態の沸き上げ運転の作動を説明する図。
【図３】同一実施形態の給湯運転の作動を説明する図。
【図４】同一実施形態の給湯運転の作動を説明する図。
【図５】同一実施形態の給湯運転の作動を説明する図。
【図６】同一実施形態の湯張り運転の作動を説明する図。
【図７】同一実施形態の保温／追焚き運転の作動を説明する図。
【図８】同一実施形態の貯湯タンク内に中温水が存在する場合の給湯運転の作動を説明する図。
【図９】同一実施形態の貯湯タンク内に中温水が存在する場合の給湯運転の作動を説明する図。
【図１０】同一実施形態の貯湯タンク内に中温水が存在する場合の給湯／湯張り同時運転の作動を説明する図。
【図１１】同一実施形態の給湯運転中に給湯混合弁）が故障した時のフローチャート。
【符号の説明】
【００５６】
２  貯湯タンク
４  給湯栓
８  出湯管
９  給水管
１６  ヒートポンプ回路（加熱手段）
３１  第１出湯管
３７  給湯混合弁
３８  第１バイパス管
４１  風呂混合弁
４２  第２出湯管
４３  第２バイパス管
４４  湯張り管
５５  給湯制御部
【図１】
0004995032.tif 000002
【図２】
0004995032.tif 000003
【図３】
0004995032.tif 000004
【図４】
0004995032.tif 000005
【図５】
0004995032.tif 000006
【図６】
0004995032.tif 000007
【図７】
0004995032.tif 000008
【図８】
0004995032.tif 000009
【図９】
0004995032.tif 000010
【図１０】
0004995032.tif 000011
【図１１】
0004995032.tif 000012